(57)【要約】【課題】ＦＡパソコンの小型化さらにはパソコン用電源取換作業の容易化。【解決手段】枠体１内に収納されたバックプレーン２へのパソコン用電源（電源３）の取付構造であって、電源３は、バックプレーン２に具備されたバックプレーンコネクタ２０と接続する電源コネクタ３０を備えると共に、枠体１は、電源コネクタ３０をバックプレーンコネクタ２０に接続する際に、電源３に接して電源コネクタ３０をバックプレーンコネクタ３０に誘導するガイド１２を備える。【選択図】  図１
2004280632.tif 000002
【特許請求の範囲】
【請求項１】
枠体内に収納されたバックプレーンへのパソコン用電源の取付構造であって、
パソコン用電源は、バックプレーンに具備されたバックプレーンコネクタと接続する電源コネクタを備えると共に、
枠体は、前記電源コネクタを前記バックプレーンコネクタに接続する際に、前記パソコン用電源に接して前記電源コネクタを前記バックプレーンコネクタに誘導するガイドを備えること
を特徴とするパソコン用電源の取付構造。
【請求項２】
ガイドは、パソコン用電源をバックプレーン側に滑降させる傾斜面を有すると共に、
パソコン用電源は、前記電源コネクタを前記バックプレーンコネクタに接続させる際に前記傾斜面を滑降して前記電源コネクタを前記バックプレーンコネクタに誘導する面を有すること
を特徴とする請求項１記載のパソコン用電源の取付構造。
【請求項３】
パソコン用電源は、バックプレーンへの据付位置を規定する位置決めピンを備えると共に
バックプレーンは、前記位置決めピンが貫通する穴を有すること
を特徴とする請求項２記載のパソコン用電源の取付構造。
【請求項４】
パソコン用電源は、前記電源コネクタが前記バックプレーンコネクタに装着されたときに枠体と接触する面に凹面部を有すると共に、
枠体は、前記電源コネクタが前記バックプレーンコネクタに装着されたとき前記凹面部と嵌合する凸面部を有すること
を特徴とする請求項１から３のいずれか１項に記載のパソコン用電源の取付構造。
【発明の詳細な説明】
【０００１】
【発明の属する技術分野】
本発明は、パソコンに実装する電源の取付構造に関するものである。
【０００２】
【従来の技術】
図６は従来のパソコン用電源の取り付け構造を示した概略図である。
【０００３】
ＰＣ／ＡＴ互換機に代表されるＯＡ（オフィスオートメーション）パソコン及びＦＡ（ファクトリーオートメーション）パソコンは、図示省略した枠体内に収納されたバックプレーン５０に、ＦＤＤ（フレキシブルディスクドライブ）５２、ＭＯＤ（光磁気ディスクドライブ）５３、ＨＤＤ（ハードディスクドライブ）５４、ＣＰＵ（中央処理装置，図示省略）等のハード資源を備えてなる。パソコンに搭載されている前記各種ハード資源は、標準規格化されており、通常、同枠体に取り付けられた単一の汎用の電源５１から各ケーブル５５を介して電力を導入している（非特許文献１）。
【０００４】
【非特許文献１】
大河政紀著，中山知弘著「ＰＣ／ＡＴ互換機自作完全ガイド」清泉図書、２００１年１２月
【０００５】
【発明が解決しようとする課題】
ＯＡパソコン、特にデスクトップ型のような据え置きタイプのものは使用環境がオフィスや家庭であることもあり、その筐体サイズはあまり小さくする必要はない。
【０００６】
一方、ＦＡパソコンは、製造システムや検査システム等の各種システムに係わる装置の中に組み込まれることが多い。近年においては、前記各種システムに係わる装置自身の小型化が進んでいることもあり、これに実装するＦＡパソコンも小型化が要請されている。
【０００７】
ところが、ＦＡパソコンは、ＯＡパソコンと同様、電源に汎用電源を採用しているので、バックプレーンを収納する枠体において、汎用電源の据付スペース及びバックプレーンに接続するケーブルのスペースを確保する必要があり、パソコン本体の小型化の妨げとなっている。
【０００８】
また、汎用電源は、通常、枠体に取り付けられているので、その電源の交換作業は煩わしいものとなり、このことはＦＡパソコンの管理下にある各種システムの機能低下を招くことになる。
【０００９】
本発明は、かかる事情に鑑みなされたもので、その目的は、ＦＡパソコンの小型化が可能さらにはパソコン用電源の交換作業が容易なパソコン用電源の取付構造の提供にある。
【００１０】
【課題を解決するための手段】
前記課題を解決するために、本発明は、枠体内に収納されたバックプレーンへのパソコン用電源の取付構造であって、パソコン用電源は、バックプレーンに具備されたバックプレーンコネクタと接続する電源コネクタを備えると共に、枠体は、前記電源コネクタを前記バックプレーンコネクタに接続する際に、前記パソコン用電源に接して前記電源コネクタを前記バックプレーンコネクタに誘導するガイドを備えることを特徴とする。
【００１１】
本発明によれば、パソコン用電源とバックプレーンとがケーブルを介さずに連絡しているので、接続ケーブルを確保するためスペースが必要でなくなり、ＦＡパソコンの小型化が可能となる。また、前記電源コネクタを前記バックプレーンコネクタに接続する際に、電源コネクタをバックプレーンコネクタに誘導できるので、バックプレーンへのパソコン用電源の装着が容易となる。
【００１２】
ここで、ガイドには、パソコン用電源をバックプレーン側に滑降させる傾斜面を形成すると共に、パソコン用電源には、前記電源コネクタを前記バックプレーンコネクタに接続させる際に前記傾斜面を滑降して前記電源コネクタを前記バックプレーンコネクタに誘導する面を形成するとよい。
【００１３】
このような構成にすると、パソコン用電源はガイド上を滑走し、電源コネクタを容易にバックプレーンコネクタに供することができるので、前述の作用効果に加え、バックプレーンへのパソコン用電源の装着がより一層容易なものとなる。
【００１４】
また、パソコン用電源には、バックプレーンへの据付位置を規定する位置決めピンを備えると共に、バックプレーンには、前記位置決めピンが貫通する穴を形成するとよい。
【００１５】
このような構成にすると、パソコン用電源がガイドによってバックプレーンコネクタ側に誘導されると、前記位置決めピンがバックプレーンの穴を貫通するので、前述の作用効果に加え、バックプレーンに対するパソコン用電源接続の位置決めが容易となる。
【００１６】
さらに、パソコン用電源には、前記電源コネクタが前記バックプレーンコネクタに装着されたときに枠体と接触する面に凹面部を形成すると共に、枠体には、前記電源コネクタが前記バックプレーンコネクタに装着されたとき前記凹面部と嵌合する凸面部を形成するとよい。
【００１７】
このような構成にすると、電源コネクタがパックプレーンコネクタに接続されたとき、前記枠体に形成された凸面部が前記パソコン用電源に形成された凹面部と嵌合するので、前述の作用効果に加え、バックプレーンに対するパソコン用電源の装着状態が安定する。
【００１８】
【発明の実施の形態】
以下、図面を参照しながら本発明の実施形態について説明する。
【００１９】
図１は、本発明に係る枠体と電源の概略を示すもので、特に（ａ−１）はバックプレーンを収納した枠体の概略平面図を、（ａ−２）はガイドを有する板材側から観た前記枠体の概略側面図を、（ｂ−１）〜（ｂ−４）は前記バックプレーンへの電源の取付過程を示した概略説明図である。
【００２０】
図１（ａ−１）及び図２（ａ−２）に示したように、枠体１は略箱型を成し、電源３をバックプレーン２側に誘導するガイド１２を備える。尚、バックプレーン２は枠体１内において支持部材１０と複数の支持ナット１４とによって固定支持されている（図１（ａ−２））。
【００２１】
ガイド１２は、少なくともバックプレーン２の据付位置よりも高い位置に設けられる。図２〜図４に枠体に設けられるガイドの具体的な設置形態例を示した。
【００２２】
図２（ａ）はガイドの側面図で、図４（ｂ）はＡ側から観たガイドの正面図である。図示されたガイド１２は、板状の部材からなり、枠体１の一部分である板材１１に板材１２０を介して設けられ、電源３をバックプレーン２方向に滑降させる傾斜面１２１を形成している（図２（ｂ））。尚、ガイド１２及び板材１２０は板材１１と同種の材料からなるものでよい。
【００２３】
図３（ａ）はガイドの側面図で、図４（ｂ）はＡ側から観たガイドの正面図である。図示されたガイド１５は、板状の部材からなり、枠体１の一部分である板材１１に板材１５０を介して設けられている。このとき、ガイド１５は電源３をバックプレーン２方向に滑降させることができるように傾斜配置されて、傾斜面１５１が形成されている（図３（ｂ））。尚、ガイド１５及び板材１５０は板材１１と同種の材料からなるものでよい。
【００２４】
図４（ａ）はガイドの側面図で、図４（ｂ）はＡ側から観たガイドの上面図である。図示されたガイド１７は、板状の部材からなり、枠体１の一部分である板材１６に対して垂直に設けられている。このとき、ガイド１７は、電源３をバックプレーン２方向に滑降させる傾斜面１７１を形成している（図４（ｂ））。尚、ガイド１７は板材１１と同種の材料からなるものでよい。
【００２５】
次に、本発明に係る電源の構成ついて説明する。図５は、本発明に係る電源の構成例を示した概略図で、特に図５（ａ）は電源の側面を、図５（ｂ）はＡ側から観た電源の側面を、図５（ｃ）はＢ側から観た電源の側面を示すものである。
【００２６】
電源３は、汎用のパソコン用電源と同じ仕様に基づくものに、電源コネクタ３０と面３２とを備える（図５（ａ）及び図５（ｂ））。電源コネクタ３０は、バックプレーン２に具備されたバックプレーンコネクタ２０と直接接続する（図１（ｂ−１）〜図１（ｂ−４））。面３２は、電源コネクタ３０をバックプレーンコネクタ２０に接続させる際に前述のガイドの傾斜面を滑降して電源コネクタ３０をバックプレーンコネクタ２０に誘導する。ここで、電源コネクタ３０の近傍例えば電源コネクタ３０の両端には、電源３のバックプレーン２への据付位置を規定する位置決めピン３１を備える場合がある。そのために、バックプレーン２には位置決めピン３１が貫通する穴２１が形成される（図１（ａ−１））。このとき、穴２１の径は位置決めピン３１が貫通したとき位置決めピン３１とのクリアランスがなるべく小さくなるように設定すると、位置決めが一層容易となる。
【００２７】
また、電源３には、電源コネクタ３０がバックプレーンコネクタ２０に装着されたときに枠体１と接触する面に凹面部３３を形成すると共に、枠体１には、電源コネクタ３０がバックプレーンコネクタ２０に装着されたとき凹面部３３と嵌合する凸面部１３を形成する場合がある。例えば図５（ｃ）に示された凹面部３３は、通風口３４、電源スイッチ３５及び交流電源コネクタ３６が設けられている面に形成されている。さらに、電源３には、補強のためにプレート３７が適宜付帯される場合がある（図１（ｂ−１））。
【００２８】
次に、図１（ｂ−１）〜図１（ｂ−４）を参照しながらバックプレーンへの電源の取付過程について説明する。ここでは、位置決めピン及び枠体に形成された凸面部と嵌合する凹面部を有する電源の取付過程について述べる。
【００２９】
電源３を枠体１内に導入する（図１（ｂ−１））。この際、電源３側面部の電源スイッチ３５及び交流電源コネクタ３６が枠体１の凸面部１３に当らないように、電源３を導入する。枠体１内に電源３が導入されると、図１（ｂ−２）中の円内に示した拡大図のように、電源３の面３２がガイド１２と接触し、電源３はそのままガイド１２の傾斜面を滑降してバックプレーン２上のバックプレーンコネクタ２０側に移動する（図１（ｂ−２））。ここで、位置決めピン３１がバックプレーン２に形成された穴２１を貫通し、（図１（ｂ−３）及び円内に示した拡大図）、バックプレーン２への電源３の接続位置が決定される。そして、この位置決めした電源３をバックブレーン２側に押し込むことで、バックプレーン２と電源３との接続が完了する（図１（ｂ−４））。このとき、枠体１の凸面部１３が電源３の凹面部３３と嵌合しているので、バックプレーン２への電源３の装着状態は安定したものとなっている。
【００３０】
【発明の効果】
以上の説明から明らかなように、本発明は以下の効果を奏する。
【００３１】
請求項に示したパソコン用電源の取付構造は、パソコン用電源をバックプレーンに直接接続する形態となっているので、パソコン用電源とバックプレーンとを連絡させるケーブルが必要でなくなる。また、従来のパソコン用電源のように枠体に電源を取り付ける必要がない。さらに、パソコン用電源をバックプレーンに接続する際に、電源コネクタをバックプレーンコネクタに誘導できるので、バックプレーンへのパソコン用電源の装着が容易となる。したがって、ＦＡパソコンの小型化が可能となると共に、パソコン用電源の交換作業も容易なものとなる。
【図面の簡単な説明】
【図１】（ａ−１）はバックプレーンを収納した枠体の概略平面図、（ａ−２）はガイドを有する板材側からの前記枠体の概略側面図、（ｂ−１）〜（ｂ−４）は前記バックプレーンへの電源の取り付け過程を示した概略説明図。
【図２】ガイドの設置形態例を示した概略図、（ａ）は側面図（ｂ）はＡ側からの正面図。
【図３】ガイドの設置形態例を示した概略図、（ａ）は側面図（ｂ）はＡ側からの正面図。
【図４】ガイドの設置形態例を示した概略図、（ａ）は側面図（ｂ）はＡ側からの上面図。
【図５】バックプレーンに接続する電源の構成例を示した概略図、（ａ）は側面図、（ｂ）はＡ側からの側面図、（ｃ）はＢ側からの側面図。
【図６】従来のパソコン用電源の取付状態を示した概略図。
【符号の説明】
１…枠体、１０…支持部材、１１，１６，１２０，１５０…板材、１２，１５，１７…ガイド、１２１，１５１，１７１…傾斜面、１３…凸面部、１４…支持ナット
２…バックプレーン、２０…バックプレーンコネクタ、２１…穴
３…電源、３０…電源コネクタ、３１…位置決めピン、３２…面、３３…凹面部、３４…通風口、３５…電源スイッチ、３６…交流電源コネクタ、３７…プレート
【図１】
2004280632.tif 000003
【図２】
2004280632.tif 000004
【図３】
2004280632.tif 000005
【図４】
2004280632.tif 000006
【図５】
2004280632.tif 000007
【図６】
2004280632.tif 000008